(57)【要約】【課題】  基材上に形成した凸状万線と、微細な印刷万線を用いて形成した観察角度の変化により出現する潜像画像を、刷り合わせのずれが発生した場合でも明瞭に視認することが可能な印刷物を提供すること。【解決手段】  基材上に形成された凸状万線上に、部分的に形状が異なることで、それぞれ模様要素部と背景要素部に区分けされた第１の要素及び第２の要素を複数配置することで、基材に対して傾けて観察すると、モアレ模様の画像部又は背景部を有するカラー画像が観察可能となる特殊潜像模様形成体である。【選択図】  図２
2015006742.tif 000002
【特許請求の範囲】
【請求項１】
基材上における少なくとも一部に形成された凸状万線上に、前記基材と異なる色の画線状の第１の要素及び第２の要素が複数配置されて、観察角度の変化により、模様部と背景部から成る潜像画像が出現する特殊潜像模様形成体であって、
前記凸状万線は、各々の凸画線が二つの側部を有して配置され、
前記第１の要素は、部分的に形状が異なることで、第１の模様要素部と第１の背景要素部に区分けされ、
前記第１の模様要素部は、第１の色材により、前記凸画線の一方の側部に配置されて第１の模様部を形成し、
前記第２の要素は、部分的に形状が異なることで、第２の模様要素部と第２の背景要素部に区分けされ、
前記第２の模様要素部は、前記第１の色材と同じ又は異なる色の第２の色材により、前記凸画線の他方の側部に配置されて第２の模様部を形成し、
前記第１の模様要素部及び前記第１の背景要素部、又は、前記第１の背景要素部及び前記第２の背景要素部は、前記凸画線の一方の側部及び他方の側部に少なくともまたがって複数配置され、
前記凸画線の一方の側部に配置された第１の模様要素部と、前記凸画線の他方の側部に配置された第２の背景要素部は、重ならないように配置され、かつ、
前記凸画線の一方の側部に配置された第１の背景要素部と、前記凸画線の他方の側部に配置された第２の模様要素部は、重ならないように配置され、
前記基材を傾けて観察した時に、前記潜像画像の前記画線の一方の側部及び他方の側部に少なくともまたがって、前記要素が複数配置された方が、モアレ模様として視認されることを特徴とする特殊潜像模様形成体。
【請求項２】
前記凸状万線を構成している各々の前記凸画線において、前記第１の模様要素部と、前記第１の色とは異なる色の前記第２の色材により形成された前記第２の模様要素部は、形状及び大きさが同じであり、
前記凸状万線において、前記第１の模様要素部及び前記第２の模様要素部は、すべて同じ位置で対応して配置されたことを特徴とする請求項１記載の特殊潜像模様形成体。
【請求項３】
前記第１の背景要素部は、前記第２の色材により形成され、前記第２の背景要素部は、前記第１の色材により形成されたことを特徴とする請求項２記載の特殊潜像模様形成体。
【請求項４】
前記凸状万線を構成している各々の前記凸画線において、
前記第１の背景要素部及び前記第２の背景要素部は、形状及び大きさが同じであり、
前記凸状万線において、前記第１の背景要素部及び前記第２の背景要素部は、すべて同じ位置で対応して配置されたことを特徴とする請求項３記載の特殊潜像模様形成体。
【請求項５】
前記凸状万線により形成された前記基材の凹凸形状において、
凸部の高さ、幅、凹部の深さ、幅の少なくとも一つを異ならせて、前記基材との透過率を異ならせた透かし模様である第３の潜像画像が形成されたことを特徴とする請求項１乃至４のいずれか一項記載の特殊潜像模様形成体。
【請求項６】
前記第１の要素又は前記第２の要素は、画線、複数の点が同一方向に配置された点群又は複数の画素が同一方向に配置された画素群の少なくとも一つから成ることを特徴とする請求項１乃至５のいずれか一項記載の特殊潜像模様形成体。
【発明の詳細な説明】
【技術分野】
【０００１】
本発明は、銀行券、旅券、有価証券、商品タグ、各種証明書等に偽造、複製の防止用として施す特殊潜像模様形成体に関するものである。
【背景技術】
【０００２】
銀行券、旅券、有価証券等の貴重印刷物は、その性質上、偽造や改竄されにくいことが要求される。この防止策としては、貴重印刷物上に印刷により微細な画線や微小文字等を付与し、その有無により真偽判別を行う等の技術が公知である。しかしながら、近年、複写機の高機能化及びその普及により、以前は複製が難しかった微細な画線が複製された貴重印刷物の偽造製品が出回り、深刻な問題となっている。このような技術的背景から、貴重印刷物には、微細画線のみを付与するのではなく、併せて複写により再現することが不可能な凹凸形状の画線を付与した印刷物が多数開示されている。
【０００３】
例えば、本出願人が先に出願した特許文献１には、基材上に基材と等色又は透明な凸状万線を形成し、その上に複数色の微細画線を凸状万線と交差するように印刷することで、基材を傾けると、虹色の干渉縞のモアレ模様が出現する印刷物が開示されている。
【０００４】
また、本出願人が先に出願した特許文献２には、基材上に形成した凹凸形状の凸状万線と微細画線を組み合わせることで形成された印刷物が開示されている。印刷物は、基材上に形成した凸状万線の、各々の凸画線の両側部に、各々、第１の潜像画像又は第２の潜像画像を形成する微細画線を付与することで、基材を傾けると一方の側部に付与した微細画線から成る第１の潜像画像が視認され、反対方向に傾けると他方の側部に付与した微細画線から成る第２の潜像画像が視認され、さらに基材を正面から観察した場合は、両側部に付与した微細画線から成る第３の潜像画像が視認可能となる。
【先行技術文献】
【特許文献】
【０００５】
【特許文献１】特許第４６８２２８０号公報
【特許文献２】特開２０１２−６１６８号
【発明の概要】
【発明が解決しようとする課題】
【０００６】
特許文献１に開示された印刷物により、凸状万線と微細画線を組み合わせることで、基材を傾けた際に虹色のモアレが生じる印刷物を作成することが可能となり、従来の微細画線のみを付与した場合と比べて、簡易に作成しづらく偽造防止効果は極めて高い。しかしながら、凸状万線と単色の直線状微細画線を組み合わせた構成であることから、傾けて出現する模様も単純なモアレ模様のみである。そのため、より良い効果を有する印刷物、例えばモアレ模様に加え、観察角度の変化により潜像画像が出現し、さらには出現する潜像画像が変化するような印刷物が得られるよう、更に改善の余地がある。
【０００７】
また、特許文献２においては、基材を傾けた際に微細画線が凸状万線の陰になることで潜像部と背景部に区分けされた潜像画像が出現する。しかしながら、出現する潜像画像は、色により潜像部と背景部を区分けしており、さらには、微細画線を、微細な凸画線の両側部に付与することで形成している。よって、高い刷り合せ精度を必要とすることから、刷り合わせのずれにより凸画線の側部に画線が配置されない場合や、潜像部と背景部を区分けする色によっては、潜像を明瞭に視認することができないという問題がある。
【０００８】
本発明は、上記課題の解決を目的とするものであり、具体的には、基材上に形成した凸状万線と、微細な印刷万線を用いて形成した観察角度の変化により出現する潜像画像を、高い刷り合せ精度を必要とすることなく、明瞭な画像として視認することが可能な印刷物を提供することにある。
【課題を解決するための手段】
【０００９】
前述の目的を達成するために、請求項１記載の発明は、基材上における少なくとも一部に形成された凸状万線上に、基材と異なる色の画線状の第１の要素及び第２の要素が複数配置されて、観察角度の変化により、模様部と背景部から成る潜像画像が出現する特殊潜像模様形成体であって、凸状万線は、各々の凸画線が二つの側部を有して配置され、第１の要素は、部分的に形状が異なることで、第１の模様要素部と第１の背景要素部に区分けされ、第１の模様要素部は、第１の色材により、凸画線の一方の側部に配置されて第１の模様部を形成し、第２の要素は、部分的に形状が異なることで、第２の模様要素部と第２の背景要素部に区分けされ、第２の模様要素部は、第１の色材と同じ又は異なる色の第２の色材により、凸画線の他方の側部に配置されて第２の模様部を形成し、第１の模様要素部及び第１の背景要素部、又は、第１の背景要素部及び第２の背景要素部は、凸画線の一方の側部及び他方の側部に少なくともまたがって複数配置され、凸画線の一方の側部に配置された第１の模様要素部と、凸画線の他方の側部に配置された第２の背景要素部は、重ならないように配置され、かつ、凸画線の一方の側部に配置された第１の背景要素部と、凸画線の他方の側部に配置された第２の模様要素部は、重ならないように配置され、基材を傾けて観察した時に、潜像画像の画線の一方の側部及び他方の側部に少なくともまたがって、要素が複数配置された方が、モアレ模様として視認されることを特徴とする特殊潜像模様形成体である。
【００１０】
また、請求項２の発明は、請求項１記載の特殊潜像模様形成体において、凸状万線を構成している各々の凸画線において、第１の模様要素部と、第１の色とは異なる色の第２の色材により形成された第２の模様要素部は、形状及び大きさが同じであり、凸状万線において、第１の模様要素部及び第２の模様要素部は、すべて同じ位置で対応して配置されたことを特徴とする。
【００１１】
また、請求項３の発明は、請求項２記載の特殊潜像模様形成体において、第１の背景要素部は、第２の色材により形成され、第２の背景要素部は、第１の色材により形成されたことを特徴とする。
【００１２】
また、請求項４の発明は、請求項３記載の特殊潜像模様形成体において、凸状万線を構成している各々の凸画線において、第１の背景要素部及び第２の背景要素部は、形状及び大きさが同じであり、凸状万線において、第１の背景要素部及び第２の背景要素部は、すべて同じ位置で対応して配置されたことを特徴とする。
【００１３】
また、請求項５の発明は、請求項１乃至４のいずれか一項記載の特殊潜像模様形成体において、凸状万線により形成された基材の凹凸形状は、凸部の高さ、幅、凹部の深さ、幅の少なくとも一つを異ならせて、基材との透過率を異ならせた透かし模様である第３の潜像画像が形成されたことを特徴とする。
【００１４】
さらに、請求項６の発明は、請求項１乃至５のいずれか一項記載の特殊潜像模様形成体において、第１の要素又は第２の要素は、画線、複数の点が同一方向に配置された点群又は複数の画素が同一方向に配置された画素群の少なくとも一つから成ることを特徴とする。
【発明の効果】
【００１５】
以上のような構成の本発明に係る印刷物は、凸状万線上に部分的に形状が異なる微細画線を印刷することで、基材を傾けた際に、潜像画像とその周囲である背景の、いずれか一方がモアレ模様として視認されることで、色調の差により、明瞭に潜像画像が視認可能となる。モアレ模様は、凸状万線上に形成する微細画線が若干ずれて配置された場合でも出現する特性がある。よって、製造時に刷り合わせのずれが発生した場合でもモアレ模様は発生することから、高い刷り合せ精度を必要とすることなく、明瞭な画像として潜像画像を視認することが可能となる。
【００１６】
また、部分的に形状が異なる微細画線の一部のうち、モアレ模様をして視認される背景又は潜像画像を構成する微細画線は凸画線の複数の側部をまたがって付与されている。観察角度を変化させた場合には、微細画線が凸状万線の影となることで潜像画像が変化する効果に加え、潜像画像の周囲はモアレ模様が発生する。よって、本発明の印刷物が有する潜像画像は、モアレ模様との色調の差により明瞭に出現するだけではなく、観察角度の変化に伴い、モアレ模様の色調が変化して視認することが可能となる。
【図面の簡単な説明】
【００１７】
【図１】本発明にかかわる特殊潜像模様形成体（１）を示す平面図の一例。
【図２】第１の潜像画像（３ａ）及び第２の潜像画像（４ａ）を示す平面図。
【図３】第１の潜像画像（３ａ）及び第２の潜像画像（４ａ）を示す他の平面図。
【図４】凸状万線（５）を示す平面図及び断面図。
【図５】凸画線（６）を第１の方向（Ｘ１）に配置した他の形態を示す平面図及び断面図。
【図６】凸状万線（５）の平面形状の一例を示す平面図。
【図７】凸画線（６）の断面形状の一例を示す断面図。
【図８】図２に示す形成体（１）の平面図及び拡大図。
【図９】図３に示す形成体（１）の平面図及び拡大図。
【図１０】第１の潜像画像（３ａ）を示す平面図及び拡大図。
【図１１】本発明にかかわる要素の一例を示す図。
【図１２】第１の要素（７）を示す拡大図。
【図１３】第１の模様要素部（７ａ）と第１の背景要素部（７ｂ）の形状の差による区分けの一例を示す平面図。
【図１４】第１の模様要素部（７ａ）及び第１の背景要素部（７ｂ）の区分けを示す他の模式図。
【図１５】第２の潜像要素（４ａ）を示す平面図及び拡大図。
【図１６】第２の要素（８）を示す拡大図。
【図１７】形成体（１）が付与された基材（２）を観察した際の視点（Ｅ１、Ｅ２、Ｅ３）を示す図。
【図１８】形成体（１）を、第１の観察角度（Ｅ１）から観察した際の平面図。
【図１９】形成体（１）を、第２の観察角度（Ｅ２）から観察した際の平面図。
【図２０】形成体（１）を、第３の観察角度（Ｅ３）から観察した際の平面図。
【図２１】可視画像（９’）を示す模式図。
【図２２】図８に示した一部の領域（Ｚ４）の拡大図。
【図２３】第１変形例の形成体（１）を傾けて観察した時に視認される各潜像画像（３ａ、４ａ）の平面図。
【図２４】各要素（７、８）及び凸画線（６）の位置関係を示す模式図。
【図２５】第１変形例の形成体（１）を、各観察角度（Ｅ１、Ｅ２、Ｅ３）から観察した際の平面図。
【図２６】第２変形例の形成体（１）の平面図及び拡大図。
【図２７】第３変形例の凸状万線（５）を示す平面図及び断面図。
【発明を実施するための形態】
【００１８】
本発明の実施形態について図面を用いて説明する。しかしながら、本発明は、以下に述べる実施するための形態に限定されるものではなく、特許請求の範囲記載における技術的思想の範囲内であれば、その他色々な形態が実施可能である。
【００１９】
図１は、本発明における特殊潜像模様形成体（以下、「形成体」という。）を示す平面図であり、本発明の形成体（１）が付与された偽造防止印刷物（Ｓ）の一例として、商品券を示す平面図である。
【００２０】
印刷物（Ｓ）は、紙、プラスチックカード等の印刷可能な基材（２）上に、店舗名、券種等の印刷物（Ｓ）に関する情報が、シアン、マゼンタ等の一般的に用いられる色材により付与されている。印刷物（Ｓ）は、基材（２）上における少なくとも一部に、潜像画像形成領域（Ｚ）（以下、「領域」という。）を備えている。領域（Ｚ）内には、形成体（１）が配置されており、形成体（１）は、観察角度の変化により視認可能となる潜像画像を、複数有している。
【００２１】
形成体（１）は、図２（ａ）に示す第１の潜像画像（３）と図２（ｂ）に示す第２の潜像画像（４）を有する。第１の潜像画像（３）は、基材（２）を傾けて観察した際に視認可能となる画像であり、第２の潜像画像（４）は、基材（２）を第１の潜像画像（３）を視認する際とは反対側へ傾けて観察した場合に、視認可能となる画像である。
【００２２】
第１の潜像画像（３）は、第１の模様部（３ａ）と第１の背景部（３ｂ）から成り、第２の潜像画像（４）は、第２の模様部（４ａ）と第２の背景部（４ｂ）から成る。
【００２３】
各潜像画像（３、４）は、基材（２）に形成された凸状万線上に、印刷画線を複数付与することで構成される。
【００２４】
このように、構成された形成体（１）は、基材（１）を傾けて観察すると、図２に示すように、各潜像画像（３、４）における模様部（３ａ、４ａ）の周囲である背景部（３ｂ、４ｂ）が、モアレ模様として視認できるか、又は、図３に示すように、各潜像画像（３’、４’）における模様部（３ａ’、４ａ’）のみが、モアレ模様として視認できる。これにより、各潜像画像（３、４）における模様部（３ａ、４ａ）を明瞭に視認することが可能となる。以下、形成体（１）を構成する各要素について、詳細に説明する。
【００２５】
図４は、凸状万線（５）を示す平面図及び断面図であり、図４（ａ）は、凸状万線（５）を示す平面図である。図４（ａ）に示すように、基材（２）に付与された凸状万線（５）は、複数の凸画線（６）から成る。
【００２６】
図４（ｂ）は、図４（ａ）のＡ−Ａ’断面図である。図４（ｂ）に示すように、凸画線（６）は、第１の方向（Ｘ１）に第１のピッチ（Ｐ１）で複数形成される。複数の凸画線（６）は、各々が頂点（６Ｔ）を境に第１の側部（６Ｌ）及び第２の側部（６Ｒ）という二つの側部を有して配置される。凸画線（６）を配置する第１のピッチ（Ｐ１）は、印刷方式、用いる基材（２）及び後述する凸画線（６）上に印刷する、印刷画線の画線幅を考慮し、４００〜１８００μｍの範囲内で適宜設定が可能である。
【００２７】
第１のピッチ（Ｐ１）が４００μｍ未満である場合には、凸画線（６）上に印刷画線を印刷する際に必要な面積が充分に得られないことにより、印刷画線の画線幅が細くなることで、各潜像画像（３、４）の視認性が低下し、好ましくない。
【００２８】
反対に、第１のピッチ（Ｐ１）が１８００μｍより広い場合には、凸画線（６）上に印刷する複数の印刷画線を、一つずつ肉眼で識別されてしまい、各潜像画像（３、４）を明瞭に視認することができず、好ましくない。なお、図４（ａ）では、第１のピッチ（Ｐ１）を一定ピッチで図示しているが、前述した４００〜１８００μｍの範囲内であれば、一部異なるピッチとすることも可能である。
【００２９】
図５は、凸画線（６）を第１の方向（Ｘ１）に配置した他の形態を示す平面図及び断面図である。図５（ａ）に示すように、凸画線（６）は、第１の方向（Ｘ１）に、ランダムなピッチ（ＰＬ）で配置されている。図５（ｂ）は、図５（ａ）におけるＢ−Ｂ’断面図である。ランダムなピッチ（ＰＬ）で配置する場合には、その一つ一つのピッチは、前述した第１のピッチ（Ｐ１）と同じ範囲内で適宜設定することが可能である。
【００３０】
なお、ピッチ（ＰＬ）を、４００〜１８００μｍの範囲内とする理由については、前述した第１のピッチ（Ｐ１）と同様であることから説明を省略する。以下、本実施形態では、凸画線（６）のピッチを、一定ピッチである第１のピッチ（Ｐ１）として説明する。
【００３１】
凸画線（６）の幅（Ｗ１）は、第１のピッチ（Ｐ１）及び後述する印刷画線の幅を考慮し、０．１〜１．０ｍｍの範囲内で適宜設定される。凸画線（６）の幅（Ｗ１）を０．１ｍｍ未満とした場合、凸画線（６）上に印刷画線を印刷しづらいため、好ましくない。
【００３２】
また、凸画線（６）の幅（Ｗ１）を１．０ｍｍより広くした場合には、印刷物（Ｓ）を傾けた際に各潜像画像（３、４）を明瞭に視認することが困難となり、好ましくない。
【００３３】
凸画線（６）の高さ（ｈ１）は、第１のピッチ（Ｐ１）及び印刷画線の幅を考慮し、３０μｍ〜７０μｍの範囲内で適宜設定することが可能である。高さ（ｈ１）を３０μｍ未満とした場合、印刷物（Ｓ）を傾けた際に、各潜像画像（３、４）を明瞭に視認することが困難となり、好ましくない。
【００３４】
また、凸画線（６）の高さ（ｈ１）を７０μｍより高くした場合には、凸画線（６）上に印刷画線を印刷しづらくなり、好ましくない。
【００３５】
なお、凸画線（６）は直線状としているが、直線状に限らず凸画線（６）上に印刷画線を印刷可能であれば、波線状、破線状等とすることが可能である。また、凸画線（６）を複数集合させて形成される形状は、領域（Ｚ）内に形成可能であれば、図６に示す各種形状とすることが可能であることは、言うまでもない。
【００３６】
さらに、凸画線（６）の断面形状は、前述した図４のＡ−Ａ’断面図に示す形状に限らず、凸画線（６）上に、印刷画線を形成可能であれば、図７に示す、各種の断面形状とすることが可能である。
【００３７】
凸状万線（５）は、基材（２）上に、凹版印刷、スクリーン印刷、エンボス、すき入れ、レーザ加工等により形成する。凹版印刷、スクリーン印刷等による凸状万線（５）の形成は、基材（２）に対して、凹版印刷又はスクリーン印刷等、所望の印刷方法に適した版面及びインキを用いて印刷を行い、インキの盛りにより凸形状を形成し、その凸形状を凸状万線（５）とする。
【００３８】
エンボスによる凸状万線（５）の形成は、所望の凸状万線（５）の大きさに合わせた、凹型及び凸型を用いて、基材（２）を、凹型及び凸型で挟み込み圧力を加えることで、基材（２）上に、凹形状（基材（２）に対して、凹ませる）又は凸形状（基材（２）に対して、突起させる）を形成し、その凹形状又は凸形状を凸状万線（５）とする。なお、凹形状においては、前述のとおり、基材（２）の一部を凹ませることで凸状万線（５）を形成することとなるが、本発明では総称して凸状万線（５）と呼ぶ。
【００３９】
すき入れによる凸状万線（５）の形成は、基材（２）を紙とした際に、抄紙機上における、ダンディロール部、円網部、プレスパート部等にて、紙の原材料（紙料）を排除（凹部）又は増加（凸部）することで形成する。なお、凹部においては、前述のとおり、紙料を排除することで凸状万線（５）を形成することとなるが、本発明では、総称して凸状万線（５）と呼ぶ。
【００４０】
レーザ加工等により凸状万線（５）の形成は、基材（２）の一部を、所望のレーザ加工装置を用いて、レーザ除去することにより形成する。つまり、基材（２）の一部に凹部を形成することで凸状万線（５）を形成することとなるが、本発明では、作製方法に関わらず、総称して凸状万線（５）と呼ぶ。
【００４１】
凸状万線（５）を印刷により基材（２）に形成する場合において、透明インキを用いることは、好ましくない。透明インキを用いると、後述するが、基材（２）を傾けた際に、凸状万線（５）が印刷画線を遮蔽することで各潜像画像（３、４）が出現するという効果が生じなくなる。しかしながら、顔料、染料等が混入された有色透明インキについては、各印刷画線を遮蔽する効果が生じるものもある。よって、このような有色透明インキについては、本発明において適宜選択することができる。
【００４２】
次に、傾けて視認可能となる潜像画像を形成する、印刷画線について説明する。図８は、（ａ）は、図２において前述した、背景部（３ｂ）がモアレ模様として視認される形成体（１）の平面図であり、図８（ｂ）は、図８（ａ）の領域（Ｖ１）を拡大した模式図である。また、図９（ａ）は、図３において前述した、模様部（３ａ’）がモアレ模様として視認される形成体（１）の平面図であり、図９（ｂ）は、図９（ａ）の領域（Ｖ１’）を拡大した模式図である。
【００４３】
図８（ｂ）及び図９（ｂ）に示すように、画線状の第１の要素（７）及び第２の要素（８）は、基材（２）上に形成された、図示しない凸状万線上に、複数配置されている。
【００４４】
第１の要素（７）は、前述した図２（ａ）又は図３（ａ）に示した第１の潜像画像（３、３’）を構成する要素であり、第２の要素（８）は、前述した図２（ｂ）又は図３（ｂ）に示した第２の潜像画像（４、４’）を構成する要素である。
【００４５】
まず、第１の潜像画像（３）を構成する第１の要素（７）について説明する。図１０（ａ）は、基材（２）を傾けることで視認可能となる第１の潜像画像（３）を示す平面図であり、図１０（ｂ）は、図１０（ａ）の領域（Ｖ２）を拡大した模式図である。なお、図１０（ｂ）において、実際は、凸画線（６）と、第２の潜像画像（４）を構成する第２の要素（８）も配置されているが、省略している。
【００４６】
なお、前述のとおり、形成体（１）を構成する模様部（３ａ）と背景部（３ｂ）のうち、図２（ａ）では、背景部（３ｂ）がモアレ模様として視認可能となり、図３（ａ）では、模様部（３ａ’）がモアレ模様として視認可能となっていた。これは、図２（ａ）と図３（ａ）において、模様部（３ａ）を構成する要素と、その周囲である背景部（４ａ）を構成する要素の形状を、反対の構成としているからである。
【００４７】
具体的には、背景部（３ｂ）がモアレ模様として視認可能となる、図１０（ｂ）においては、模様部（３ａ）を直線状の要素で構成し、背景部（３ｂ）を波線状の要素で構成する。一方、前述した図３（ｂ）のように、模様部（３ａ'）をモアレ模様として視認可能とする場合には、模様部（３ａ）を波線状の要素で構成し、背景部（４ｂ）を直線状の要素で構成する。それにより、詳細な原理については後述するが、形成体（１）を構成する模様部（３ａ、３ａ'）と背景部（３ｂ、３ｂ'）のうち、図２（ａ）では、背景部（３ｂ）がモアレ模様として視認可能となり、図３（ａ）では、模様部（３ａ'）がモアレ模様として視認可能となる。
【００４８】
以下、本実施形態においては、図２及び図１０において示すように、形成体（１）を模様部（３ａ）の周囲である背景部（３ｂ）がモアレ模様として視認可能となる構成として説明する。
【００４９】
図１０（ｂ）に示すように、基材（２）上に形成した凸画線（図示せず）上に、画線状の第１の要素（７）が配置されている。
【００５０】
本発明において第１の要素（７）とは、画線や、複数の点が同一方向に配置された網点群、又は複数の画素が同一方向に配置された画素群のことである。図１１は、本発明における第１の要素（７）の一例を示す図である。画線とは、図１１（ａ）に示す直線、図１１（ｂ）に示す破線のことである。画線幅は、一般的に６０〜２００μｍが用いられる。網点とは、網目スクリーン、コンタクトスクリーン等により、印刷物上に構成された点である。
【００５１】
画素とは、図形、文字等の二次元画像を縦横の線で分割し、分割した最小単位のことである。網点及び画素は、直線状又は波線状に複数配置されて、画線状に構成される。画素は、図１１（ｃ）に示す円形状、図１１（ｄ）に示す楕円形状、図１１（ｅ）に示す三角形状とする。また、画素は、図１１（ｅ）に示すように、回転させて配列しても良く、また、図１１（ｆ）に示すように文字形状としてもよい。
【００５２】
さらに、図１１（ｇ）に示すように、一つの要素内において、画線、網点又は画素の少なくとも二種類以上を組み合わせて同一方向に配置しても良い。以下、本実施形態では、図１１（ａ）に示す直線として説明する。
【００５３】
図１２は、図１０に示した、複数の第１の要素（７）のうちの、一つの第１の要素（７）を示す拡大図である。図１２に示すように、第１の要素（７）は、部分的に形状が異なることで、第１の模様要素部（７ａ）と第１の背景要素部（７ｂ）に区分けされる。
【００５４】
第１の模様要素部（７ａ）は、第１の潜像画像（３）における第１の模様部（３ａ）を構成する要素であり、基材（２）とは異なる色の第１の色材により、第１の側部（６Ｌ）に配置される。第１の模様要素部（７ａ）が複数配置されることで、図１０（ａ）に示す第１の模様部（３ａ）が形成される。
【００５５】
第１の背景要素部（７ｂ）は、第１の潜像画像（３）における第１の背景部（３ｂ）を構成する要素であり、基材（２）とは異なる色の色材により、第１の模様要素部（７ａ）及び後述する第２の潜像画像（４）を構成する第２の模様要素部（８ａ）と重ならないように、凸画線（６）の一方の側部である第１の側部（６Ｌ）及び他方の側部である第２の側部（６Ｒ）に、少なくともまたがって配置される。第１の背景要素部（７ｂ）が複数配置されることで、図１０（ａ）に示す第１の背景部（３ｂ）の一部が形成される。
【００５６】
図１０（ｂ）では、一つの凸画線（６）の両側部（６Ｌ、６Ｒ）にまたがって配置されているが、これに限らず、隣り合う凸画線（６）において、一つの凸画線（６）の第１の側部（６Ｌ）と、隣り合う凸画線（６）の第２の側部（６Ｒ）にまたがって配置されていても良い。さらには、複数配列された凸画線（６）において、隣り合う二つ以上の凸画線（６）上にまたがって配置されていても良い。
【００５７】
第１の模様要素部（７ａ）と第１の背景要素部（７ｂ）が基材（２）と同じ色である場合、基材（２）上に印刷した第１の要素（７）を、肉眼で区別して視認することができない。よって、第１の模様要素部（７ａ）及び第１の背景要素部（７ｂ）は、基材（２）とは異なる色の色材で形成する。
【００５８】
本発明における異なる色とは、同じ色相で濃度が異なる色としてもよく、例えば、第１の模様要素部（７ａ）を形成する色材を淡い赤色とし、第１の背景要素部（７ｂ）を形成する色材を濃い赤色とすることも可能である。
【００５９】
なお、本発明において、後述する第２の潜像画像（４）を形成する色材についても、それぞれの色材の色が同じ色又は異なる色として視認される際の定義については、第１の模様要素部（７ａ）と第１の背景要素部（７ｂ）の色の関係と同様であることから、以下説明を省略する。
【００６０】
前述のとおり、第１の要素（７）は部分的に形状が異なることで、第１の模様要素部（７ａ）と第１の背景要素部（７ｂ）に区分けされる。よって、第１の模様要素部（７ａ）と第１の背景要素部（７ｂ）の色材の色は、同じでも異なっていてもよい。異なる色とする構成については後述することから、以下、同じ色として説明する。
【００６１】
図１３は、第１の模様要素部（７ａ）と第１の背景要素部（７ｂ）の形状の差による区分けの一例を示す平面図である。図１２で第１の要素（７）は、直線の第１の模様要素部（７ａ）と波線状の第１の背景要素部（７ｂ）に区分けされていたが、第１の模様要素部（７ａ）が、第１の側部（６Ｌ）に配置され、第１の背景要素部（７ｂ）が、第１の側部（６Ｌ）及び第２の側部（６Ｒ）に少なくともまたがって配置されているならば、他の形状とすることも可能である。
【００６２】
例えば、図１３（ａ）に示すように、波線状の第１の模様要素部（７ａ）と第１の背景要素部（７ｂ）に区分けすることも可能である。さらには、第１の模様要素部（７ａ）及び第１の背景要素部（７ｂ）をいずれも直線とし、角度を異ならせることで区分けすることも可能である。なお、本発明においては、角度変化による区分けについても、形状の変化による区分けとする。
【００６３】
また、図１３（ｃ）に示すように、矩形波状の第１の模様要素部（７ａ）と矩形波状の第１の背景要素部（７ｂ）に区分けすることも可能である。図１３（ａ）及び図１３（ｃ）に示すように、任意の周期と振幅を持つ形状の画線であれば、その周期もしくは振幅を異ならせることによって、第１の模様要素部（７ａ）と第１の背景要素部（７ｂ）とを画線の形状の変化によって区分けすることができる。
【００６４】
図１４は、第１の模様要素部（７ａ）及び第１の背景要素部（７ｂ）の区分けを示す他の模式図である。前述した図１２において、第１の模様要素部（７ａ）及び第１の背景要素部（７ｂ）は隣接して配置されているが、図１４（ａ）に示すように、第１の模様要素部（７ａ）及び第１の背景要素部（７ｂ）が、離れた領域を有する形態でも良い。
【００６５】
また、図１４（ｂ）に示すように、第１の模様要素部（７ａ）及び第１の背景要素部（７ｂ）が、一部重なった領域を有する形態でも良い。なお、図１４（ａ）及び図１４（ｂ）いずれの形態とした場合においても、正面から視認した際に、各潜像画像（３、４）の隠蔽性を低下させることのない範囲で、離れた領域又は一部重なった領域の大きさを適宜設定する必要がある。
【００６６】
第１の要素（７）は、基材（２）上に公知の印刷方式により形成する。第１の要素（７）の印刷方式は、オフセット印刷方式、グラビア印刷方式、スクリーン印刷方式、フレキソ印刷方式、インクジェットプリンタ、レーザプリンタ等、基材（２）上に印刷可能であれば特に限定されるものではない。形成体（１）を作製する場合、ほとんどの印刷方式において、基材（２）と印刷版面間ではドットゲインによる画線面積率又は網点面積率の上昇が見込まれることから、版面作製にあたっては、あらかじめそれを見込んだ画線面積率又は網点面積率にする必要があることはいうまでもない。
【００６７】
第１の模様要素部（７ａ）を形成する第１の色材及び第１の背景要素部（７ｂ）を形成する第２の色材は、前述した印刷方式に適したインキを各種用いることが可能であり、例えば、オフセットインキ、グラビアインキ、スクリーンインキ、フレキソインキ、トナー等を用いることが可能である。
【００６８】
また、インキは単色インキに限らず、複数のインキを混色することで各色のインキを作製し、そのインキを用いることも可能である。なお、後述する第２の潜像画像（４ａ）を構成する第２の要素（８）においても、形成する印刷方式及び用いることが可能なインキについては、第１の要素（７）と同様であることから、説明を省略する。
【００６９】
次に、第２の潜像画像（４）を構成する第２の要素（８）について説明する。図１５（ａ）は、基材（２）を傾けることで視認可能となる第２の潜像画像（４）を示す平面図であり、図１５（ｂ）は、図１５（ａ）の領域（Ｖ３）を拡大した模式図である。なお、図１５（ｂ）において、実際は凸画線（６）と、第１の潜像画像（３）を構成する第１の要素（７）も配置されているが、省略している。
【００７０】
図１５（ｂ）に示すように、基材（２）上に形成した凸画線（図示せず）上に、画線状の第２の要素（８）が配置されている。なお、第２の要素（８）についても、前述した第１の要素（７）と同様に、画線や、複数の点が同一方向に配置された網点群、又は複数の画素が同一方向に配置された画素群のことであることから、説明を省略する。
【００７１】
図１６は、図１５に示した複数の第２の要素（８）のうちの、一つの第２の要素（８）を示す拡大図である。図１６に示すように、第２の要素（８）は、部分的に形状が異なることで、第２の模様要素部（８ａ）及び第２の背景要素部（８ｂ）に区分けされる。
【００７２】
第２の模様要素部（８ａ）は、第２の潜像画像（４）における第２の模様部（４ａ）を構成する要素であり、基材（２）及び第１の模様要素部（７ａ）を形成した第１の色材とは異なる色の第２の色材により、第２の側部（６Ｒ）に配置される。第２の模様要素部（８ａ）が複数配置されることで、図１５（ａ）に示す第２の模様部（４ａ）が形成される。
【００７３】
第２の背景要素部（８ｂ）は、基材（２）とは異なる色の色材により、第１の模様要素部（７ａ）及び第２の模様要素部（８ａ）と重ならないように、凸画線（６）の一方の側部である第１の側部（６Ｌ）及び他方の側部である第２の側部（６Ｒ）に、少なくともまたがって配置される。第２の背景要素部（８ｂ）が複数配置されることで、図１５（ａ）に示す第２の背景部（４ｂ）の一部が形成される。
【００７４】
なお、図１５（ｂ）では、一つの凸画線（６）の両側部（６Ｌ、６Ｒ）にまたがって配置されているが、これに限らず、隣り合う凸画線（６）において、一つの凸画線（６）の第１の側部（６Ｌ）と、隣り合う凸画線（６）の第２の側部（６Ｒ）にまたがって配置されていても良い。さらには、前述した第１の背景要素部（７ｂ）と同様に、複数配列された凸画線（６）において、隣り合う二つ以上の凸画線（６）上にまたがって配置されていても良い。
【００７５】
第２の模様要素部（８ａ）と第２の背景要素部（８ｂ）が基材（２）と同じ色である場合、基材（２）上に印刷した第２の要素（８）を、肉眼で区別して視認することができない。よって、第２の模様要素部（８ａ）及び第２の背景要素部（８ｂ）は、基材（２）とは異なる色の色材で形成する。
【００７６】
第２の要素（８）は、前述した第１の要素（７）と同様に、部分的に形状が異なることで、第２の模様要素部（８ａ）と第２の背景要素部（８ｂ）に区分けされる。よって、第２の模様要素部（８ａ）と第２の背景要素部（８ｂ）の色は、同じでも異なっていてもよく、以下、同じ色として説明する。
【００７７】
なお、第２の模様要素部（８ａ）と第２の背景要素部（８ｂ）の形状の差による区分けについては、前述した第１の要素（７）の区分けと同様であることから、説明を省略する。
【００７８】
次に、前述した各潜像画像（３、４）を視認する観察角度について説明する。図１７は、形成体（１）が付与された基材（２）を観察した際の視点（Ｅ１、Ｅ２、Ｅ３）を示す図である。なお、凸画線（６）は、基材（２）上における第１の方向（Ｘ１）に配置されている。
【００７９】
本発明においては、基材（２）に対して、視点が（Ｅ１）に示す位置関係にあり、凸画線（６）の頂点（６Ｔ）及び両側部（６Ｌ、６Ｒ）が視認可能であるとき、第１の観察角度（Ｅ１）から観察したとする。また、視点が（Ｅ２）に示す位置関係にあり、凸画線（６）の第１の側部（６Ｌ）が視認可能であるとき、第２の観察角度（Ｅ２）から観察したとする。なお、視点（Ｅ２ａ）及び視点（Ｅ２ｂ）は、第２の観察角度（Ｅ２）内における視点の変化を示す。
【００８０】
さらに、視点が（Ｅ３）に示す位置関係にあり、凸画線（６）の第２の側部（６Ｒ）が視認可能であるとき、第３の観察角度（Ｅ３）から観察したとする。なお、視点（Ｅ３ａ）及び視点（Ｅ３ｂ）は、第３の観察角度（Ｅ３）内における視点の変化を示す。
【００８１】
次に、形成体（１）を各観察角度（Ｅ１、Ｅ２、Ｅ３）から観察した際の、視認原理について説明する。まず、第１の観察角度（Ｅ１）から観察した際の、視認原理について説明する。図１８は、形成体（１）を、第１の観察角度（Ｅ１）から観察した際の平面図である。
【００８２】
図１８に示すように、基材（２）を第１の観察角度（Ｅ１）から観察した際には、凸画線（６）における両側部（６Ｌ、６Ｒ）が、いずれも隣り合う凸画線（６）の影となることなく視認可能となり、複数の第１の要素（７）及び第２の要素（８）がいずれも視認可能となる。
【００８３】
しかしながら、各要素（７、８）を肉眼で区別して視認することはできないため、各要素（７、８）から成る第１の潜像画像（３）及び第２の潜像画像（４）についても、形状をそれぞれ識別することができない。よって、第１の観察角度（Ｅ１）からは、一様な濃度を有する画像として可視画像（９）が視認される。
【００８４】
次に、第２の観察角度（Ｅ２）から観察した際の、視認原理について説明する。図１９は、形成体（１）を、第２の観察角度（Ｅ２）から観察した際の平面図である。図１９に示すように、基材（２）を第２の観察角度（Ｅ２）から観察した際には、第１の潜像画像（３）における第１の模様部（３ａ）が、単色の色である第１の色で視認され、その周囲である第１の背景部（３ｂ）がモアレ模様として視認される。
【００８５】
次に、第１の模様部（３ａ）が、第１の色で視認される原理について説明する。基材（２）を第２の観察角度（Ｅ２）から観察した際には、凸画線（６）における第１の側部（６Ｌ）は、隣り合う凸画線（６）の影となることなく視認可能である。一方、第２の側部（６Ｒ）は、隣り合う凸画線（６）の影となり視認することができない。
【００８６】
よって、基材（２）を第２の観察角度（Ｅ２）から観察した際には、第１の側部（６Ｌ）に配置された第１の色の色材から成る第１の模様要素部（７ａ）が視認可能となり、複数の第１の模様要素部（７ａ）から成る第１の模様部（３ａ）が、第１の色で視認される。
【００８７】
次に、第１の背景部（３ｂ）が、モアレ模様として視認される原理について説明する。
前述のとおり、基材（２）を第２の観察角度（Ｅ２）から観察した際には、凸画線（６）における第１の側部（６Ｌ）は、隣り合う凸画線（６）の影となることなく視認可能である。一方、第２の側部（６Ｒ）は、隣り合う凸画線（６）の影となり視認することができない。
【００８８】
基材（２）を第２の観察角度（Ｅ２）から観察した場合、凸画線（６）の第１の側部（６Ｌ）及び第２の側部（６Ｒ）にまたがって配置された第１の背景要素部（７ｂ）及び第２の背景要素部（８ｂ）のうち、第２の側部（６Ｒ）に位置する部分は、視認することができない。
【００８９】
よって、各背景要素部（７ｂ、８ｂ）と凸画線（６）を重ね合わせた場合、各背景要素部（７ｂ、８ｂ）において、凸画線（６）の長辺方向（Ｘ２）に沿って第２の側部（６Ｒ）に位置する部分に線状に死角が生じ、この線状の死角部分と、各背景要素部（７ｂ、８ｂ）の配列方向（Ｘ１）に沿って干渉が生じることで、モアレ模様が発生し、これが第１の背景部（３ｂ）として視認される。
【００９０】
さらに、基材（２）に対する観察角度を、徐々に変化させて観察した際には、凸画線（６）の死角となる部分が変化する作用が働き、それに伴い、視認可能となる第１の背景要素部（７ｂ）及び第２の背景要素部（８ｂ）の面積と形状が変化することで、第１の背景部（３ｂ）のモアレ模様も変化する。
【００９１】
以上、基材（２）を第２の観察角度（Ｅ２）から観察した際には、第１の潜像画像（３）における第１の模様部（３ａ）は単色の色である第１の色で視認され、第１の背景部（３ｂ）がモアレ模様として視認されることで、モアレ模様と第１の色の色調の差により、第１の潜像画像（３）が明瞭に視認され、さらに基材（２）に対する観察角度を変化させた際には、観察角度の変化に伴い、モアレ模様の色調が変化して視認される。
【００９２】
なお、前述した図２に示す、模様部（３ａ、４ａ）がモアレ模様として視認される形成体（３）においては、模様部（３ａ、４ａ）を構成する各模様要素部（７ａ、８ａ）を、凸画線（６）の一方の側部及び他方の側部に、少なくともまたがって配置される。
【００９３】
それにより、各模様要素部（７ａ、８ａ）と凸画線（６）を重ね合わせた場合、各模様要素部（７ａ、８ａ）において、凸画線（６）の長辺方向（Ｘ２）に沿って第２の側部（６Ｒ）に位置する部分に線状に死角が生じ、この線状の死角部分と、各模様要素部（７ａ、８ａ）の配列方向（Ｘ１）に沿って干渉が生じることで、モアレ模様が発生し、これが第１の模様部（３ａ）として視認される。
【００９４】
また、形成体（１）は基材（２）上に形成した微細な凸画線（６）上に微細な印刷画線である各要素（７、８）を配置した構成としている。従来は、一本の印刷画線である各要素（７、８）を、形状の変化ではなく色により、模様要素部と背景要素部に区分けしていたことで、模様要素部及び背景要素部は、いずれも凸画線（６）の一方又は他方の側部のみに配置される必要があった。
【００９５】
そのため、印刷時に刷り合わせのズレが発生した際には、各要素（７、８）が凸画線（６）の一方又は他方の側部のみに配置されず、各潜像画像（３、４）が観察角度の変化により発現しないか、又は、発現しても刷り合わせのズレに起因して画線切れが発生し、所々潜像画像（３、４）が一部欠けるという問題があった。
【００９６】
しかしながら、本発明の形成体（１）は、各潜像画像（３、４）における各模様部（３ａ、４ａ）を構成する各模様要素部（７ａ、８ａ）をそれぞれ凸画線（６）の一方又は他方の側部に配置し、各背景部（３ｂ、４ｂ）を構成する各背景要素部（７ｂ、８ｂ）を複数の側部にまたがって配置している。
【００９７】
この構成とすることで、印刷時に刷り合わせのズレが発生し、潜像画像（３、４）における各模様部（３ａ、４ａ）を構成する各模様要素部（７ａ、８ａ）が、凸画線（６）の一方又は他方の側部のみに配置されない場合でも、各背景要素部（７ｂ、８ｂ）から成るモアレ模様は観察される。よって、刷り合わせのズレが発生した場合でも、モアレ模様の背景部との差により、潜像画像（３、４）を明瞭に視認することが可能となる。
【００９８】
次に、第３の観察角度（Ｅ３）から観察した際の、視認原理について説明する。図２０は、形成体（１）を、第３の観察角度（Ｅ３）から観察した際の平面図である。図２０に示すように、基材（２）を第３の観察角度（Ｅ３）から観察した際には、第２の潜像画像（４）における第２の模様部（４ａ）が、第２の色で視認され、その周囲である第２の背景部（４ｂ）がモアレ模様として視認される。
【００９９】
次に、第２の模様部（４ａ）が、第２の色で視認される原理について説明する。基材（２）を第３の観察角度（Ｅ３）から観察した際には、凸画線（６）における第２の側部（６Ｒ）は、隣り合う凸画線（６）の影となることなく視認可能である。一方、第１の側部（６Ｌ）は、隣り合う凸画線（６）の影となり視認することができない。
【０１００】
よって、基材（２）を第３の観察角度（Ｅ３）から観察した際には、第２の側部（６Ｒ）に配置された第２の色の色材から成る第２の模様要素部（８ａ）が視認可能となり、複数の第２の模様要素部（８ａ）から成る第２の模様部（４ａ）が、第２の色で視認される。
【０１０１】
次に、第２の背景部（４ｂ）が、モアレ模様として視認される原理について説明する。
前述のとおり、基材（２）を第３の観察角度（Ｅ３）から観察した際には、凸画線（６）における第２の側部（６Ｒ）は、隣り合う凸画線（６）の影となることなく視認可能である。一方、第１の側部（６Ｌ）は、隣り合う凸画線（６）の影となり視認することができない。
【０１０２】
基材（２）を第３の観察角度（Ｅ３）から観察した場合、凸画線（６）の第１の側部（６Ｌ）及び第２の側部（６Ｒ）にまたがって配置された第１の背景要素部（７ｂ）及び第２の背景要素部（８ｂ）のうち、第１の側部（６Ｌ）に位置する部分は、視認することができない。
【０１０３】
よって、各背景要素部（７ｂ、８ｂ）と凸画線（６）を重ね合わせた場合、各背景要素部（７ｂ、８ｂ）において、凸画線（６）の長辺方向（Ｘ２）に沿って第１の側部（６Ｌ）に位置する部分に線状に死角が生じ、この線状の死角部分と、各背景要素部（７ｂ、８ｂ）の配列方向（Ｘ１）に沿って干渉が生じることで、モアレ模様が発生し、これが第２の背景部（４ｂ）として視認される。
【０１０４】
さらに、基材（２）に対する観察角度を、視点（Ｅ３ａ）から視点（Ｅ３ｂ）に徐々に変化させて観察した際には、凸画線（６）の死角となる部分が変化する作用が働き、それに伴い、視認可能となる第１の背景要素部（７ｂ）及び第２の背景要素部（８ｂ）の面積と形状が変化することで、第２の背景部（４ｂ）のモアレ模様も変化する。
【０１０５】
以上、基材（２）を第３の観察角度（Ｅ３）から観察した際には、第２の潜像画像（４）における第２の模様部（４ａ）は単色の色である第２の色で視認され、第２の背景部（４ｂ）がモアレ模様として視認される。さらに基材（２）に対する観察角度を変化させた際には、観察角度の変化に伴い、モアレ模様の色調が変化して視認される。
【０１０６】
なお、図１８において、第１の観察角度（Ｅ１）から視認可能な可視画像（９）は、一様な濃度を有する画像であるが、有意味画像とすることも可能である。図２１（ａ）においては、可視画像（９）の中に円形状の可視模様部（９ａ）としている。
【０１０７】
図２１（ｂ）は、可視画像（９）を構成する領域（Ｖ１’）の拡大図である。図２１（ｂ）に示すように、第１の背景要素部（７ｂ）及び第２の背景要素部（８ｂ）が、図２１（ｃ）に、任意の周期と振幅を持つ形状の画線である場合、振幅の上部（１１ａ）及び下部（１１ｂ）を隣接して配置させることで、肉眼では隣接箇所のみ濃度が濃く視認される。それにより、第１の観察角度（Ｅ１）から観察した際には、可視画像（９）内において濃度差が生じ、可視模様部（９ａ）が視認可能となる。
【０１０８】
図２２（ａ）は、図８に示した一部の領域（Ｚ４）の拡大図であり、図２２（ｂ）は図２２（ａ）のさらに一部の領域の拡大図である。前述のとおり形成体（１）は、部分的に形状を異ならせた、各要素（７、８）が複数配置されることで形成される。例えば、図８においては、直線の各模様要素部（７ａ、８ａ）と波線の各背景要素部（７ｂ、８ｂ）を配置することで形成していた。
【０１０９】
しかしながら、図２２（ｂ）の拡大図に示すように、所定の領域において直線と波線では波線の方が、画線面積率が大きくなる。なお、本発明における画線面積率とは、画線の面積（インキが付与される部分）が、単位面積に占める割合のことである。画線面積率の大きい方は、単位面積において、画線の面積（インキが付与される部分）が大きくなる。よって、肉眼では濃度が濃く視認されることから、第１の観察角度（Ｅ１）から観察した際には、各模様部（３ａ、４ａ）と各背景部（３ｂ、４ｂ）に濃度差が生じ、潜像が視認される場合がある。
【０１１０】
よって、交互に配置された第１の要素（７）と第２の要素（８）において、直線と波線が第１の方向（Ｘ１）に隣り合って配置された場合には、所定の領域では直線と波線の画線面積率が等しくなるように、直線の要素の画線幅を太くする、又は、波線の要素の画線幅を細くすることが、好ましい。
【０１１１】
次に、形成体（１）の変形例について説明する。図２３は、第１変形例の形成体（１）を傾けて観察した時に視認される潜像画像（３、４）の平面図である。前述した形成体（１）は、基材（２）に対する観察角度を変化することで、第１の潜像画像（３）から、第１の潜像画像（３）とは異なる形状の第２の潜像画像（４）へと変化して視認された。第１変形例の形成体においては、図２３に示すように、基材（２）に対して第２の観察角度（Ｅ２）から第３の観察角度（Ｅ３）へと、観察角度を変化して観察した場合には、同一形状の潜像画像の色が変化して視認される効果を奏する。
【０１１２】
以下、第１変形例の形成体（１）の構成について説明する。図２４は、各要素（７、８）及び凸画線（６）の位置関係を示す模式図である。図２４（ａ）は、前述した形成体（１）を構成する各要素（７、８）を示す模式図であり、図２４（ｂ）は、第１変形例の形成体（１）を構成する各要素（７、８）を示す模式図である。なお、図２４（ａ）及び図２４（ｂ）は、いずれも形成体（１）を構成する一つの凸画線（６）上に配置した各要素（７、８）を、第１の観察角度（Ｅ１）から視認した状態を示す。
【０１１３】
前述した形成体（１）は、図２に示すように、第１の模様部（３ａ）と第２の模様部（４ａ）が、領域（Ｚ）内において重複することなく異なる領域に配置されている。その場合、図２４（ａ）に示すように、第１の模様部（３ａ）を構成する第１の模様要素部（７ａ）と、第２の模様部（４ａ）を構成する第２の模様要素部（８ａ）は、一つの凸画線（６）に対応せずに配置される。
【０１１４】
一方、第１変形例の形成体（１）は、図２３に示すように、第１の模様部（３ａ）と第２の模様部（４ａ）が、領域（Ｚ）内において全て重複した領域に配置されている。その場合、図２４（ｂ）に示すように、第１の模様部（３ａ）を構成する第１の模様要素部（７ａ）と、第２の模様部（４ａ）を構成する第２の模様要素部（８ａ）は、一つの凸画線（６）に対応して配置される。
【０１１５】
本発明における対応して配置とは、図２４（ｂ）に示すように、一つの凸画線（６）に、各模様要素部同士及び／又は各背景要素部同士が、凸画線（６）の長手方向における中心に対して、向かい合うように配置していることを指す。
【０１１６】
例として、第１の模様要素部（７ａ）及び第２の模様要素部（８ａ）が対応していた場合、図２４（ｂ）に示すように、凸画線（６）に配置した第１の模様要素部（７ａ）及び第２の模様要素部（８ａ）が、凸画線（６）の長手方向における中心に対して、向かい合うように配置している。
【０１１７】
第１の模様要素部（７ａ）及び第２の模様要素部（８ａ）が、複数の凸画線（６）において、形状及び大きさが同じであり、すべて同じ位置で対応して配置されたことで、前述した図２３に示すように、第１の模様部（３ａ）と第２の模様部（４ａ）は、すべてが重複した領域に形成される。それにより、第１の模様部（３ａ）と、第２の模様部（４ａ）は、形状及び大きさが同一の画像となる。
【０１１８】
第１の模様要素部（７ａ）及び第２の模様要素部（８ａ）を、複数の凸画線（６）において、すべて対応して配置する場合には、第１の模様要素部（７ａ）を形成する第１の色材と、第２の模様要素部（８ａ）を形成する第２の色材を異なる色とする。異なる色とすることで、基材（２）に対して第２の観察角度（Ｅ２）から第３の観察角度（Ｅ３）へと、観察角度を変化して観察した場合には、同一形状の潜像画像の色が変化して視認される効果を奏する。
【０１１９】
なお、第１の模様要素部（７ａ）を形成する第１の色材と、第２の模様要素部（８ａ）を形成する第２の色材を同じ色とした際には、基材（２）に対して第２の観察角度（Ｅ２）から第３の観察角度（Ｅ３）へと、観察角度を変化して観察した場合には、同一形状の潜像画像が常に同じ色で視認されるが、その周囲の各背景部（３ｂ、４ｂ）については、モアレ模様が変化して視認される効果を奏することは言うまでもない。
【０１２０】
さらに、前述した図１から図２０に示す形成体（１）についても、同様に第１の模様要素部（７ａ）を構成する第１の色材と、第２の模様要素部（８ａ）を構成する第２の色材を異なる色とすることが可能である。その際には、基材（２）に対して第２の観察角度（Ｅ２）から第３の観察角度（Ｅ３）へと、観察角度を変化して観察した場合には、各模様部（３ａ、４ａ、）が、形状の変化に加え、カラーチェンジ効果を奏して視認される。
【０１２１】
次に、第１変形例の形成体（１）を、各観察角度（Ｅ１、Ｅ２、Ｅ３）から観察した際の、視認原理を、図２５を用いて説明する。
【０１２２】
図２５（ａ）は、図２４（ｂ）の各要素（７、８）から成る第１変形例の形成体（１）を、前述した第１の観察角度（Ｅ１）から観察した際の平面図である。図２５（ａ）に示すように、第１の観察角度（Ｅ１）からは、可視模様部（９ａ）及び可視背景部（９ｂ）ぁら成る可視画像（９）が視認される。
【０１２３】
可視模様部（９ａ）は、第１の模様要素部（７ａ）及び第２の模様要素部（８ａ）から成り、各模様要素部（７ａ、８ａ）を形成する第１の色材と第２の色材の色を混色した色によりベタ画像として視認される。また、可視背景部（９ｂ）は、第２の背景要素部（７ｂ）及び第２の背景要素部（８ｂ）から成り、各背景要素部（７ｂ、８ｂ）を形成する色材を混色した色によりベタ画像として視認される。
【０１２４】
次に、第１変形例の形成体（１）を、前述した第２の観察角度（Ｅ２）から観察した際には、図２５（ｂ）に示すように、可視模様部（９ａ）と同一形状、かつ、同じ大きさの第１の模様部（３ａ）が、第１の色で視認され、その周囲である第１の背景部（３ｂ）がモアレ模様として視認される。なお、第１の背景部（３ｂ）及び後述する第１変形例の第２の背景部（４ｂ）がモアレ模様として視認される原理については、前述の形成体（１）と同様であることから、説明を省略する。
【０１２５】
さらに、第１変形例の形成体（１）を、前述した第３の観察角度（Ｅ３）から観察した際には、可視模様部（９ａ）及び第１の模様部（３ａ）と同一形状、かつ、同じ大きさの第２の模様部（４ａ）が、第２の色で視認され、その周囲である第２の背景部（４ｂ）がモアレ模様として視認される。
【０１２６】
以上、第１変形例の形成体（１）とすることで、観察角度の変化により潜像画像における模様部の色と、その周囲のモアレ模様が変化して視認される。
【０１２７】
なお、図２３に示した第１変形例の形成体（１）は、基材（２）に対して観察角度を、第１の観察角度（Ｅ１）、第２の観察角度（Ｅ２）及び第３の観察角度（Ｅ３）と変化させることで、同一形状の潜像画像の色が変化して視認される効果を奏していた。その際、第１の観察角度（Ｅ１）から視認される可視模様部（９ａ）は、観察角度の変化により視認可能となる各模様部（３ａ、４ａ）と同一形状の画像であった。
【０１２８】
そこで、次に第２変形例として、第１の観察角度（Ｅ１）においては、各模様部（３ａ、４ａ）が視認されず、観察角度の変化により視認可能となる、形成体（１）について説明する。
【０１２９】
図２６（ａ）は、第２変形例の形成体（１）の平面図であり、図２６（ｂ）は、図２６（ａ）の領域（Ｖ５）を拡大した模式図であり、図２６（ｃ）は、図２６（ａ）の形成体（１）を構成する一つの凸画線（６）を示す模式図である。
【０１３０】
図２６（ｂ）に示すように、第１の模様部（３ａ）を構成する第１の模様要素部（７ａ）と、第２の模様部（４ａ）を構成する第２の模様要素部（８ａ）は、各々凸画線（６）上において、形状及び大きさが同じであり、すべて同じ位置に対応して配置される。
【０１３１】
また、第１の背景要素部（７ｂ）と第２の背景要素部（８ｂ）についても、各々凸画線（６）上において、形状及び大きさが同じであり、すべて同じ位置に対応して配置される。
【０１３２】
さらに、第１の模様要素部（７ａ）と第２の背景要素部（８ｂ）は、同じ色である第１の色材により形成され、第１の背景要素部（７ｂ）と第２の模様要素部（８ａ）は、同じ色である第２の色材により形成される。
【０１３３】
各模様要素部（７ａ、８ａ）と、各背景要素部（７ｂ、８ｂ）を、形状及び大きさを同じとし、すべて同じ位置に対応して配置し、さらに一方の模様要素部と他方の背景要素部を同じ色の色材で形成することで、図２６（ａ）に示す形成体（１）を、前述した第一の観察角度（Ｅ１）から観察した際には、第１の模様部（３ａ）と第１の背景部（３ｂ）は、いずれも第１の色材と第２の色材が混色したベタ画像として視認される。
【０１３４】
よって、第一の観察角度（Ｅ１）においては、第１の模様部（３ａ）と第１の背景部（３ｂ）を区分けして視認することが不可能となることから、肉眼では第１の色材と第２の色材が混色したベタの印刷画像として第１の潜像画像（３）が視認される。
【０１３５】
前述した各形成体（１）は、基材（２）に対して観察角度を変化することで、模様部と、その周囲にモアレ模様の背景部が視認される効果を奏していた。本発明の形成体（１）については、さらに、基材（２）に形成した凸状万線（５）の形状を変化させることで、観察角度の変化に加えて、透過により視認可能な潜像画像を付与することが可能である。次に、第３変形例として、透かし模様である潜像画像が付与された形成体（１）について説明する。
【０１３６】
図２７（ａ）は、第３変形例の凸状万線（５）を示す平面図であり、図２７（ｂ）は、図２７（ａ）のＡ−Ａ’断面図である。図２７（ｂ）に示すように、凸状万線（５）により形成された基材（２）の凹凸形状において、凸部である凸画線（６）の高さ、幅、凹部の深さ、幅の少なくとも一つを異ならせることで、基材（２）との透過率を異ならせている。それにより、透過光下で視認可能となる透かし模様である第３の潜像画像（１０）が、形成される。
【０１３７】
凹部の幅（Ｗ６ｂ）は、前述した凸画線（６）を配置した第１のピッチ（Ｐ１）及び、凸画線（６）上に付与する第１の要素（７）及び第２の要素（８）の幅を考慮し、２００μｍ〜８００μｍの範囲で適宜設定することが可能である。幅（Ｗ６ｂ）を２００μｍ未満とした場合には、凸画線（６）上に第１の要素（７）及び第２の要素（８）を印刷しづらくなり、好ましくない。
【０１３８】
また、凹部の幅（Ｗ６ｂ）を８００μｍより広い場合には、観察角度の変化により視認可能となる各潜像画像を明瞭に視認することが困難となり、好ましくない。
【０１３９】
なお、第３の潜像画像（１０）を構成する凸画線（６）幅（Ｗ６ａ）は、前述した凸画線（６）の幅の範囲内で適宜設定することが可能である。
【０１４０】
図２７（ｂ）に示すように、凸部の高さ、幅、凹部の深さ、幅を、徐々に異ならせることで形成された第３の潜像画像（１０）は、図２７（ａ）に示すように。透過率が変化した階調を有する潜像画像として視認される。
【０１４１】
なお、第３の潜像画像（１０）を構成する凸画線（６）及び底部（６Ｕ）は、他の凸画線（６）及び底部（６Ｕ）と透過率が異なるのであれば、高さ、幅、深さを一定量異ならせることで形成することも可能である。凸画線（６）及び底部（６ｕ）の高さ、幅、深さを一定量異ならせた場合、第３の潜像画像（１０）を構成する凸画線（６）及び底部（６Ｕ）は、各々の透過率が等しくなる。よって、形成された第３の潜像画像（１０）は、透過率が一定の透かし模様として視認される。
【符号の説明】
【０１４２】
１          形成体
２          基材
３          第１の潜像画像
３ａ          第１の模様部
３ｂ          第１の背景部
４          第２の潜像画像
４ａ          第３の模様部
４ｂ          第２の背景部
５          凸状万線
６          凸画線
６Ｔ          頂点
６Ｌ          第１の側部
６Ｒ          第２の側部
６Ｕ          底部
７          第１の要素
７ａ          第１の模様要素部
７ｂ          第１の背景要素部
８          第２の要素
８ａ          第２の模様要素部
８ｂ            第２の背景要素部
９          可視画像
９ａ          可視模様部
９ｂ          可視背景部
１０          第３の潜像画像
Ｓ          偽造防止印刷物
Ｘ１          第１の方向
Ｘ２          第２の方向
Ｅ１          第１の観察角度
Ｅ２          第２の観察角度
Ｅ３          第３の観察角度
Ｚ          領域
【図１】
2015006742.tif 000003
【図２】
2015006742.tif 000004
【図３】
2015006742.tif 000005
【図４】
2015006742.tif 000006
【図５】
2015006742.tif 000007
【図６】
2015006742.tif 000008
【図７】
2015006742.tif 000009
【図８】
2015006742.tif 000010
【図９】
2015006742.tif 000011
【図１０】
2015006742.tif 000012
【図１１】
2015006742.tif 000013
【図１２】
2015006742.tif 000014
【図１３】
2015006742.tif 000015
【図１４】
2015006742.tif 000016
【図１５】
2015006742.tif 000017
【図１６】
2015006742.tif 000018
【図１７】
2015006742.tif 000019
【図１８】
2015006742.tif 000020
【図１９】
2015006742.tif 000021
【図２０】
2015006742.tif 000022
【図２１】
2015006742.tif 000023
【図２２】
2015006742.tif 000024
【図２３】
2015006742.tif 000025
【図２４】
2015006742.tif 000026
【図２５】
2015006742.tif 000027
【図２６】
2015006742.tif 000028
【図２７】
2015006742.tif 000029